(57)【要約】【課題】本発明の課題は、作業において発生する騒音を作業箇所周辺の外部へ漏らさないように、作業者が入るべき空間を覆うカバーを提供する。【解決手段】折り畳みが可能な傘体または複数の壁体と、傘体を開いた状態または、折りたたまれる複数の壁体で作業者入るべき空間を囲んだ状態で、傘体または壁体と作業される床の間に敷設され、傘体または壁体を支え、柔軟に収縮伸張することで、吸音性と作業面の凹凸を含む床に接する密着性とをもつ伸縮性台座を有することを特徴とする。【選択図】図１
2011156595.tif 000002
【特許請求の範囲】
【請求項１】
遮音性の素材によるか、または、遮音性の素材を貼り付けられ、互いが折り畳み可能に連結された複数枚のカバー部と、
作業を行う作業対象物の上にしかれものであって、作業者が入るべき空間を囲んだ状態の前記カバー部が上に載せられるものであり、柔軟に収縮伸張することで前記作業対象物に接する密着性とをもち、エアマットまたは発泡体でからなる、または、その覆い部を有することで遮音性を有する伸縮性台座とを有することを特徴とする組立分解自在な作業音遮蔽カバー。
【請求項２】
前記カバー部が、複数枚の長方形の壁板と、前記壁板により作業者が入るべき空間を囲んだ状態で天側に出来る開口部をふさぐべく、前記壁板の上に載せる天蓋とを有することを特徴とする請求項１記載の組立分解自在な作業音遮蔽カバー。
【請求項３】
前記カバー部が、複数枚の三角形の壁板または幕が連結された傘体であることを特徴とする請求項１記載の組立分解自在な作業音遮蔽カバー。
【請求項４】
前記壁板、前記天蓋、前記傘体の少なくとも一部分または全部が可視光を透過する透明性を有することを特徴とする請求項１から請求項３のいずれか一つに記載の組立分解自在な作業音遮蔽カバ−。
【請求項５】
前記伸縮性台座、前記壁板、前記天蓋、前記傘体の少なくとも一部分または全部が空気を通過させる通気性を有することを特徴とする請求項１から請求項４のいずれか一つに記載の組立分解自在な作業音遮蔽カバ−。
【請求項６】
前記伸縮性台座の下面から出し、または、前記伸縮性台座の下面内にしまい込みが可能な上下移動できる車輪を前記伸縮性台座に有することを特徴とする請求項１から請求項５のいずれか一つに記載の組立分解自在な作業音遮蔽カバ−。
【請求項７】
前記壁板または前記傘体と前記伸縮性台座とを接続を強化するものとして、ピンとピンを挿入する穴、溝と溝に嵌る突起、クランプのいずれかを前記壁板または前記傘体と前記伸縮性台座に有することを特徴とする請求項１から請求項６のいずれか一つに記載の組立分解自在な作業音遮蔽カバ−。
【請求項８】
平行に並んだ複数のリング状支持体に支持され、
遮音性の素材によるか、または、遮音性の素材を貼り付けられ、蛇腹状に折り畳みが可能になった作業者を含む空間を取り囲むことが可能な蛇腹状遮音壁体と、これを支持し立てるためのスタンドと、前記リング状支持体又は前記蛇腹状遮音壁体の少なくとも１つを前記スタンドに接続する接続具と、を有することを特徴とする組立分解自在な作業音遮蔽カバ−。
【請求項９】
前記リング状支持体は、上側にあるリングの径が、下側にあるリングの径より小さくしたことを特徴とする請求項８記載の組立分解自在な作業音遮蔽カバ−。
【請求項１０】
前記蛇腹状遮音壁体の上部に、遮音性の素材によるか、または、遮音性の素材を貼り付けられ、可視光を透過する透明性の天蓋部を有することを特徴とする請求項８又は請求項９記載の組立分解自在な作業音遮蔽カバ−。
【発明の詳細な説明】
【技術分野】
【０００１】
本発明は、騒音を伴う作業において、作業員を含む局所現場を取り囲み、作業音を外に漏らさないようにするための組立分解自在な作業音遮音カバーに関するものである。
【背景技術】
【０００２】
従来、コンクリート面等の作業対象物を破砕等の作業をするために、例えば、ハツリ作業では、ハツリ装置の作用部であるチゼル（ノミ）の打撃により、作業対象物への作業が行われている。その際、ハツリ装置の周辺には、二種の騒音が発生している。１つは、圧縮空気の排出時の騒音であり、もう１つは、チゼルとコンクリート面との打撃（接触）による騒音である。特許文献１では、前者の圧縮空気の排出時の騒音の遮音を対象にしたものであり、
本発明による遮音カバーは、作業空間の外に対する両者の騒音の遮音を目的にしている。
特許文献２には、コンクリート面との打撃（接触）による騒音の遮音を対象にしたチゼルの先端まで延びた防音部材３９で囲んだケーシング２１が明細書及び図面にあるが、ケーシングの板又は層がコンクリート面の横に広がった、所謂、肉厚構造でないため、コンクリート面とコンクリート母体を伝わる騒音の減衰波を遮音することには対応できていないこと、及び、ハツリが行われている中間状態でのコンクリートのハツリ面での凹凸面に対応できていないため、凹凸面の隙間から騒音が外部に逃げて遮音性能が上がらないという欠点を有している。
【先行技術文献】
【特許文献】
【０００３】
【特許文献１】特開２００５−２７９９０６
【特許文献２】特開２００８−２７２９１９
【発明の概要】
【発明が解決しようとする課題】
【０００４】
本発明の課題は、前記の不具合を克服するもので、作業において発生する騒音を作業箇所周辺の外部へ漏らさないように、作業者が入るべき空間を覆うカバーを提供することである。
【課題を解決するための手段】
【０００５】
本発明の作業音遮蔽カバーは、作業者を含む空間を取り囲むことが可能な、折り畳みが可能な傘体または複数の壁体と、傘体を開いた状態または、折りたたまれる複数の壁体で作業者入るべき空間を囲んだ状態で、傘体または壁体と作業される床の間に敷設され、傘体または壁体を支え、柔軟に収縮伸張することで、吸音性と作業面の凹凸を含む床に接する密着性とをもつ伸縮性台座を有し、壁体においては、上部カバーを有していて、傘体または壁体およびその上部カバーは、遮音性を有する素材で構成されていること、少なくともその一部は、空気と光の透過性を有することを特徴とする。以下説明する。
【０００６】
請求項１記載の発明は、組立分解自在な作業音遮蔽カバーであって、遮音性の素材によるか、または、遮音性の素材を貼り付けられ、互いが折り畳み可能に連結された複数枚のカバー部と、作業を行う作業対象物の上にしかれものであって、作業者が入るべき空間を囲んだ状態の前記カバー部が上に載せられるものであり、柔軟に収縮伸張することで前記作業対象物に接する密着性とをもち、エアマットまたは発泡体でからなる、または、その覆い部を有することで遮音性を有する伸縮性台座とを有することを特徴とする。
【０００７】
請求項２記載の発明は、請求項１記載の組立分解自在な作業音遮蔽カバーにおいて、前記カバー部が、複数枚の長方形の壁板と、前記壁板により作業者が入るべき空間を囲んだ状態で天側に出来る開口部をふさぐべく、前記壁板の上に載せる天蓋とを有することを特徴とする。
【０００８】
請求項３記載の発明は、請求項１記載の組立分解自在な作業音遮蔽カバーにおいて、前記カバー部が、複数枚の三角形の壁板または幕が連結された傘体であることを特徴とする。
【０００９】
請求項４記載の発明は、請求項１から請求項３のいずれか一つに記載の組立分解自在な作業音遮蔽カバ−において、前記壁板、前記天蓋、前記傘体の少なくとも一部分または全部が可視光を透過する透明性を有することを特徴とする。
【００１０】
請求項５記載の発明は、請求項１から請求項４のいずれか一つに記載の組立分解自在な作業音遮蔽カバ−において、前記伸縮性台座、前記壁板、前記天蓋、前記傘体の少なくとも一部分または全部が空気を通過させる通気性を有することを特徴とする。
【００１１】
請求項６記載の発明は、請求項１から請求項５のいずれか一つに記載の組立分解自在な作業音遮蔽カバ−において、前記伸縮性台座の下面から出し、または、前記伸縮性台座の下面内にしまい込みが可能な上下移動できる車輪を前記伸縮性台座に有することを特徴とする。
【００１２】
請求項７記載の発明は、請求項１から請求項６のいずれか一つに記載の組立分解自在な作業音遮蔽カバ−において、前記壁板または前記傘体と前記伸縮性台座とを接続を強化するものとして、ピンとピンを挿入する穴、溝と溝に嵌る突起、クランプのいずれかを前記壁板または前記傘体と前記伸縮性台座に有することを特徴とする。
【００１３】
請求項８記載の発明は、組立分解自在な作業音遮蔽カバ−であって、平行に並んだ複数のリング状支持体に支持され、
遮音性の素材によるか、または、遮音性の素材を貼り付けられ、蛇腹状に折り畳みが可能になった作業者を含む空間を取り囲むことが可能な蛇腹状遮音壁体と、これを支持し立てるためのスタンドと、前記リング状支持体又は前記蛇腹状遮音壁体の少なくとも１つを前記スタンドに接続する接続具と、を有することを特徴とする。
【００１４】
請求項９記載の発明は、請求項８記載の組立分解自在な作業音遮蔽カバ−において、
前記リング状支持体は、上側にあるリングの径が、下側にあるリングの径より小さくしたことを特徴とする。
【００１５】
請求項１０記載の発明は、請求項８又は請求項９記載の組立分解自在な作業音遮蔽カバ−において、前記蛇腹状遮音壁体の上部に、遮音性の素材によるか、または、遮音性の素材を貼り付けられ、可視光を透過する透明性の天蓋部を有することを特徴とする。
【発明の効果】
【００１６】
以上の様に構成されているので、本発明の組立分解自在な作業音遮蔽カバーでは、作業者は、作業現場に、本作業音遮蔽カバーを持ち込んで、組立し、その中で作業を行うことが出来、作業音を外に漏らさないで作業することができ、作業終了後は、分解し運搬することが出来るので、周りに気にせず作業が出来る。
【図面の簡単な説明】
【００１７】
【図１】本発明による組立分解自在な作業音遮蔽カバーの一実施態様を示す図である。
【図２】本発明による組立分解自在な作業音遮蔽カバーの別の一実施態様を示す図である。
【図３】本発明による組立分解自在な作業音遮蔽カバーの別の一実施態様を示す図である。
【発明を実施するための形態】
【００１８】
本発明による組立分解自在な作業音遮蔽カバーは、第一の形態は、作業者を含む空間を取り囲むことが可能な、遮音性で折り畳みが可能な傘体または複数の壁体と、傘体を開いた状態または、折りたたまれる複数の壁体で作業者が入るべき空間を囲んだ状態で、傘体または壁体と作業される床の間に敷設され、傘体または壁体を支え、柔軟に収縮伸張することで、吸音性と作業面の凹凸を含む床に接する密着性とをもつ伸縮性台座を有し、壁体においては、上部カバーを有していて、傘体または壁体およびその上部カバーは、遮音性を有する素材で構成されている。第二の形態は、作業者を含む空間を取り囲むことが可能で、平行に並んだ複数のリング状支持体に支持されて蛇腹状に折り畳みが可能になった遮音性膜による壁体とこれを支持し立てるためのスタンドを有するものである。
以下、実施例を基に説明する。
【実施例】
【００１９】
図１は、本発明による組立分解自在な作業音遮蔽カバーの一実施態様を示す図である。
１−Ａでは、組立分解自在な作業音遮蔽カバー１００を示し、折りたたまれる複数の壁体を使用したものを示す。参考のために、中の空間に入っている作業者の絵も示している。このように中で作業することになる。組立分解自在な作業音遮蔽カバー１００は、大きく分けて、３つの部材から構成されている。１つ目は、折り畳み可能な複数の壁体１０１であり、分解すると例えば、１−Ｂに示すように、ここでは、９枚の長方形の壁が各々連結して、最端のみ連結しない形状になっている。９枚になっているのは、１枚を重複させて重ねることで、八角形の空間をつくるためである。従って、空間の形状によっては、何枚でもよい。また、重複しないで空間を形成してもよいことは勿論である。
１−Ｃでは、Ａ−２の壁体１０１が、持ち運びしやすく折りたたまれた状態を示している。壁体１０１は、倒れないように壁を支える骨格は堅牢性が要求されるが、壁の面は柔軟でもよいが、遮音性が必要であるので、遮音性の素材で構成される。遮音性の素材としては、エアマットや発泡性合成樹脂、スポンジ、発泡性ゴムや、オレフィン系遮音シートを壁面として貼りつけたもの、高速度道路の路肩に設置される遮音板、アルミニウム遮音板など多くの市販の遮音板から選択して用いることが出来る。
【００２０】
組立分解自在な作業音遮蔽カバー１００を構成する２つ目の部材は、壁体１０１で作業者入るべき空間を囲んだ状態で、壁体１０１の天部に開いた開口部１０２を覆う天蓋部１０３であり、天蓋部を構成する素材は、遮音性であることが必要で、運搬が容易なように、折りたためる遮音シートが好ましい。ここでは、ポリエステル素材に塩ビ被覆した遮音シートや、オレフィン系遮音シート、金属充填材を配合した軟質塩ビシートなど多くの市販の遮音シートが使用できる。１−Ｄには、天蓋部１０３を外したものを示す。ここでは、壁体１０１の作る空間の天面の形状が八角形なので、略円形の天蓋遮音シート１０４と、天蓋部１０３を壁体１０１の天面に載せたときに、固定のために締め付ける締付帯１０５が付いている。締付帯１０５は、両帯端部１０６で縛るか、マジックテープで止めることが可能である。
尚、壁体１０１と天蓋部１０３の全部または一部は光を透過する透明部であることが必要である。光が通らないと作業空間が暗くなって作業に適さないからである。又、壁体１０１と天蓋部１０３のいずれかは、空気透過性であることが好ましい。この空間は、完全な密閉ではないので、作業者が窒息することはないが、例えば、スポンジ、発泡性ゴムや、東京化セン株式会社の商品名αＣＶマット（登録商標）など市販の空気透過性の遮音シートが利用できる。
【００２１】
１−Ａにおいて、組立分解自在な作業音遮蔽カバー１００を構成する３つ目の部材は、壁体１０１で作業者入るべき空間を囲んだ状態で、壁体１０１と作業される床の間に敷設され、壁体１０１を支え、柔軟に収縮伸張することで、吸音性と作業面の凹凸を含む床に接する密着性とをもつ伸縮性台座１０７である。伸縮性台座１０７は、エアマットや発泡性合成樹脂、スポンジ、発泡性ゴム等の発泡体で出来ていることで、吸音による遮音と、密着による遮音を達成している。尚、伸縮性台座１０７には、壁体１０１の端が嵌りこむ溝１０８があると都合がよい。
【００２２】
１−Ｅにおいて、壁体１０１と伸縮性台座１０７の部分を拡大して示している。壁体１０１の端は、溝１０８に嵌りこみ、伸縮性台座１０７には、穴部１０９があり、この穴部１０９から車輪（キャスター）１１０がネジ１１１でもって、壁体１０１側のネジ受け１１２とネジ結合で付設してある。ネジ受け１１２は、シフト棒１１３の上下により、壁体１０１に対して上下するので、下にシフトすると、車輪（キャスター）１１０が伸縮性台座１０７より床側にでて、車輪（キャスター）１１０を使って、容易に移動することが出来る。上にシフトすると、車輪（キャスター）１１０が伸縮性台座１０７の中に入り込んで、伸縮性台座１０７が床に密着する。１−Ｆにおいては、車輪（キャスター）１１０を伸縮性台座１０７から外した状態を示している。１−Ｇにおいては、車輪（キャスター）１１０を外された伸縮性台座１０７を示している。尚、車輪（キャスター）１１０は、必ずしも必要でないが、あると好都合である。
【００２３】
図２は、本発明による組立分解自在な作業音遮蔽カバーの別の一実施態様を示す図である。折り畳みが可能な傘体によるものである。この実施例の作業音遮蔽カバー２００は、大きく分けて、２つの部材から構成されている。１つ目は、折り畳み可能な傘体２０１と、２つめは、傘体２０１で作業者入るべき空間を囲んだ状態で、傘体２０１と作業される床の間に敷設され、傘体２０１を支え、柔軟に収縮伸張することで、吸音性と作業面の凹凸を含む床に接する密着性とをもつ伸縮性台座２０２である。先ず、傘体２０１は、雨傘と同じく、傘骨２０３があり、その回りに遮音性のシート２０４が張られている。遮音性のシート２０４の素材は、図１の例で示したものと同じものが使用できる。
尚、遮音性のシート２０４の全部または、一部に図１で説明したと同じく、光を透過する透明部であることが必要である。又、空気透過性であることが好ましい。
【００２４】
２−Ｂには、分解された状態での傘体２０１が示され、２−Ｃには、伸縮性台座２０２が示されている。傘骨２０３の先端には、ピン２０５が付いていて、伸縮性台座２０２には、ピン２０５を挿入するピン穴２０６が付いている。２−Ｄには、伸縮性台座２０２の１個ごとに別体になったものを示し、２−Ｅには、全部の伸縮性台座２０２が隣同士連結したものを示している。これらを作業現場に持ち込んで、床に設置し、伸縮性台座２０２に付けられた固定用溝２０７に、２−Ｆに示す固定用バー２０８を嵌めこむことで、伸縮性台座２０２を組み立てる。その後、傘体２０１のピン２０５をピン穴２０６に差し込んで、傘体による作業音遮蔽カバーを組み立てる。作業後の分解は逆のことを行えばよい。
尚、伸縮性台座２０２を構成する素材は、図１の例と同じである。尚、傘体２０１の遮音性のシート２０４の先端と伸縮性台座２０２には、マジックテープ等の接続手段２０９が付いていると、両者が密着して遮音性がよいので好都合である。
【００２５】
２−Ｂの傘体２０１は、２−Ｇの傘骨２０３と２−Ｈの遮音性のシート２０４との分解されてもよい。又、遮音性のシート２０４は、２−Ｉのように持ち運びしやすいように折り畳みが出来ることが好ましい。
【００２６】
図２の傘体の場合と同様に、図１の壁体の場合も、壁体を骨組みのみにし、壁板用の遮音性のシートと天蓋の遮音性のシートを一体にして、骨組み全体を１枚の遮音性のシートでカバーすることも可能である。この場合は、傘のように多角錐形状ではなく、多角柱状の外形を有する。
尚、全ての例において、傘体、または壁体と伸縮性台座との接続を強固なものにするため、上記、ピンとピン穴、マジックテープ以外に、溝とこれに嵌るレールのような突起、その他、パチン錠と通称されるラッチなどの接続手段を有することが好ましい。
【００２７】
図３は、本発明に係る組立分解自在な作業音遮蔽カバーの別の一実施態様を示す図である。３−Ａでは、作業者を含む空間を取り囲むことが可能で、平行に並んだ複数のリング状支持体３０１に支持されて蛇腹状に折り畳みが可能になった遮音性膜による蛇腹状遮音壁体３０２とこれを支持し立てるためのスタンド３０３を有している例である。遮音性膜は、他の実施例の場合と同じく、例えば、スポンジ、発泡性ゴムや、東京化セン株式会社の商品名αＣＶマット（登録商標）など市販の空気透過性の遮音シートが利用できる。又、
透明なことが採光の上で望ましい。３−Ｂでは、３−Ａの例に、上部に図１と同じく天蓋部３０４を設けたものである。この例では、蛇腹状遮音壁体３０２と天蓋部３０４の間には、通気のための隙間３０５を設けてある。これは、酸欠防止の作業者の安全上の配慮をしたものである。天蓋部３０４は、図１の天蓋と同様の遮音性能、透明性を有する素材を用いる。又、天蓋部３０４は、形状を保つため、補強梁３０６で保持することが好ましい。
又、天蓋部３０４は、内側及び外側の両者から外すことが出来るように固定具を構成することが好ましい。天蓋部３０４は、半球の椀状に窪んでいることで、衝撃騒音を中心方向に向かって反射するので、外部への漏れは少なくすることが出来る。３−Ｃでは、スタンド３０３に蛇腹状遮音壁体３０２を設置しやすくするために手段を示すものである。３−Ｂの天蓋を有するものに対して、蛇腹状遮音壁体３０２のリング状支持体３０１は、下側あるほど大きめの径を有するようにしている。内部に入った作業者は、外側のリング状支持体３０１に付いた掛け金からスタンドに順に掛けて行けばよい。同じ径では、どの掛け金から掛けて行けばよいか迷う場合がある。勿論、上ほど径は大きいことは、下の部分が隠れて見えないので、好ましくない。このようにすると、蛇腹状遮音壁体３０２を折畳んだ状態で、上側のリングが下側のリングの内側に収納されて、薄い厚みで収納できること、折畳まない状態で、騒音が蛇腹状遮音壁体３０２に下側に反射され、外側に漏れにくい利点がある。勿論、識別のために掛け金に色分けする手段も取れる。尚、スタンドは３個用意すると、３点支持の安定した支持が出来る。
３−Ｄでは、３−Ａのものに、作業者が入って作業をしている状態を示している。
【００２８】
尚、遮音用のシートなどの遮音性の確保のためには、本発明の全ての態様について、遮音シートなどの素材の厚み以外に遮音材層を複数層重ねる構成も取れることは当然である。
又、作業としてハツリ作業を例に説明したが、騒音を伴う作業であるカッター、ソーなど他の作業に適用できることは言うまでもない。
【産業上の利用可能性】
【００２９】
以上のよう本発明に係る組立分解自在な作業音遮蔽カバーは、作業現場に持ち込んで、組立、作業者を含む作業現場を囲み、外界へ作業音を漏らさないで作業が出来、作業後は簡単に分解できて運搬が可能なので産業上利用性が極めて大きい。
【符号の説明】
【００３０】
１００、２００  作業音遮蔽カバー
１０１  壁体
１０２  開口部
１０３  天蓋部
１０４  天蓋遮音シート
１０５  締付帯
１０６  帯端部
１０７、２０２  伸縮性台座
１０８  溝
１０９  穴部
１１０  車輪（キャスター）
１１１  ネジ
１１２  ネジ受け
１１３  シフト棒
２０１  傘体
２０３  傘骨
２０４  遮音性のシート
２０５  ピン
２０６  ピン穴
２０７  固定用溝
２０８  固定用バー
２０９  接続手段
３０１  リング状支持体
３０２  蛇腹状遮音壁体
３０３  スタンド
３０４  天蓋部
３０５  隙間
３０６  補強梁
【図１】
2011156595.tif 000003
【図２】
2011156595.tif 000004
【図３】
2011156595.tif 000005